(57)【要約】【課題】生体に対してより良好に作用するマイナスイオン発生体を提供すること。【解決手段】炭素を含むとともに波長４〜１４μｍの赤外線の放射率が９５％以上の天然鉱石と、放射性核種を極微量に含む低放射性材料とを配合してなる構成のマイナスイオン発生体である。【特許請求の範囲】
【請求項１】
炭素を含むとともに波長４〜１４μｍの赤外線の放射率が９５％以上の天然鉱石と、放射性核種を極微量に含む低放射性材料とを配合してなることを特徴とするマイナスイオン発生体。
【請求項２】
チタンの酸化物を含むセラミックスを配合してなることを特徴とする請求項１記載のマイナスイオン発生体。
【請求項３】
希土類元素を配合してなることを特徴とする請求項１又は２記載のマイナスイオン発生体。
【請求項４】
請求項１乃至３のいずれか記載のマイナスイオン発生体を昆錬してなることを特徴とするマイナスイオン製品。
【請求項５】
請求項１乃至３のいずれか記載のマイナスイオン発生体を付着してなることを特徴とするマイナスイオン製品。
【発明の詳細な説明】
【０００１】
【発明の属する技術分野】
本発明は、マイナスイオンを発生するマイナスイオン発生体に関する。
【０００２】
【従来の技術】
マイナスイオンは、空気を清浄化するとともに、生体に対して極めて良好に作用することが知られている。とりわけ滝の周辺では、レナード効果によって大量のマイナスイオンが発生しており、すがすがしく快い感じがすることは有名である。
【０００３】
そして近年では、こうしたマイナスイオンの効能がにわかに注目されるようになり、マイナスイオンを発生するものを生活環境に積極的に取り入れるようになりつつある。
【０００４】
例えば木炭は、遠赤外線を発生する特性を有し、その遠赤外線が空気中の水分子に作用することにより、マイナスイオンを発生することが知られている。つまり、このような木炭を身近に置けば、マイナスイオンの恩恵をある程度享受することが可能である。
【０００５】
また、マイナスイオンは、放射線を利用して発生させることも可能であり、特開２００１−１９４２０には、自発分極を有する粉体と放射線を放射する分体とを混合してマイナスイオンを発生するように構成された粉体が記載されている。例えば電気石と称されるトルマリンは、そのままの状態でも僅かながらマイナスイオンを発生する。そして、これを放射線にて励起することによれば、マイナスイオンの発生量を顕著に増加することが可能である。つまり、複数の材料を合理的に配合すれば、より優れたマイナスイオン発生体が得られる訳である。
【０００６】
【発明が解決しようとする課題】
ところで、複数の材料を配合してマイナスイオン発生体を製造する場合は、その材料の選択が極めて重要な課題となる。つまり、こうしたマイナスイオン発生体については、生体に対する効能を考慮しつつ、有益な材料を好適に用いる構成が求められている。
【０００７】
本発明は、かかる事情に鑑みてなされたものであり、その目的は、生体に対してより良好に作用するマイナスイオン発生体を提供することである。
【０００８】
【課題を解決するための手段】
本願第１請求項に記載した発明は、炭素を含むとともに波長４〜１４μｍの赤外線の放射率が９５％以上の天然鉱石と、放射性核種を極微量に含む低放射性材料とを配合してなる構成のマイナスイオン発生体である。このような構成によると、生体に対してより良好に作用するマイナスイオン発生体が得られる。
【０００９】
すなわち本発明のマイナスイオン発生体は、微弱な放射線並びに赤外線の作用により、非常に効率よくマイナスイオンを発生するものである。
【００１０】
また、微弱な放射線は、生体細胞を活性化してその免疫力を向上することが知られており、現在では、これをホルメシス効果と称する。そして、本発明のマイナスイオン発生体によれば、低放射性材料が放射する微弱な放射線により、マイナスイオンを効率よく発生するとともに、ホルメシス効果に基く良好な作用を生体にもたらすことが可能である。
【００１１】
更に、波長４〜１４μｍの赤外線は、育成光線と称され、生体の細胞に共鳴してこれを活性化するものである。本発明のマイナスイオン発生体は、その構成材料として、かかる赤外線の放射率が９５％以上の天然鉱石を採用したものであり、生体細胞の活性化について、極めて優れた効果を奏するものである。赤外線の放射率及び放射量は、天然鉱石が含有する炭素に依存する。尚、放射率とは、ある物体の表面からの放射と、それと同じ温度における理想黒体からの放射との比であり、物体の放射能力を示す値である。
【００１２】
つまり本発明は、マイナスイオン、ホルメシス効果、及び育成光線に関わる各効能を総括して享受するべく、その構成材料を厳選してなるマイナスイオン発生体である。
【００１３】
本願第２請求項に記載した発明は、請求項１において、チタンの酸化物を含むセラミックスを配合してなる構成のマイナスイオン発生体である。このような構成によると、一層優れたマイナスイオン発生体が得られる。
【００１４】
チタンの酸化物は、光触媒反応、つまりギャップエネルギーに相当する光を吸収することによって励起された価電子帯の電子が外部の物質と反応を起すことにより、殺菌、脱臭、空気清浄化等の効果が得られるものである。ついては、チタンの酸化物を含むセラミックスを配合したマイナスイオン発生体によれば、生体に対してより好ましい環境を確保することが可能となる。
【００１５】
本願第３請求項に記載した発明は、請求項１又は２において、希土類元素を配合してなる構成のマイナスイオン発生体である。このような構成によると、一層優れたマイナスイオン発生体が得られる。
【００１６】
希土類元素とは、周期律表のＡ３族に属する元素であり、ランタン（Ｌａ）からテルシウム（Ｌｕ）までの１５元素にイットリウム（Ｙ）とスカンジウム（Ｓｃ）を加えた合計１７元素の総称である。希土類元素の単体及び化合物は、合金や触媒等に用いられるほか、磁性や誘電性を利用した用途も多い。このような希土類元素を配合して微弱な放射線により励起すれば、マイナスイオンを一層効率よく発生させることが可能となる。
【００１７】
本願第４請求項に記載した発明は、請求項１乃至３のいずれか記載のマイナスイオン発生体を昆錬してなる構成のマイナスイオン製品である。すなわち、かかるマイナスイオン発生体は、生体に対してより良好に作用するものであり、これを製品に昆錬することによれば、優れたマイナスイオン製品が得られる。
【００１８】
本願第５請求項に記載した発明は、請求項１乃至３のいずれか記載のマイナスイオン発生体を付着してなる構成のマイナスイオン製品である。すなわち、かかるマイナスイオン発生体は、生体に対してより良好に作用するものであり、これを製品に付着することによれば、優れたマイナスイオン製品が得られる。
【００１９】
【発明の実施の形態】
本発明のマイナスイオン発生体は、炭素を含むとともに波長４〜１４μｍの赤外線の放射率が９５％以上の天然鉱石と、放射性核種を極微量に含む低放射性材料と、チタンの酸化物を含むセラミックスと、希土類元素とを配合してなるものである。
【００２０】
天然鉱石としては、北海道の松前半島で産出されるグラファイトシリカ（通称シリカブラック）を採用し、低放射性材料としては、珪酸ジルコニウムの精製時に集塵されたダストを採用している。また、チタンの酸化物を含むセラミックスとしては、粉末状に加工されたチタンセラミックスを採用し、希土類元素としては、希土類元素の酸化物を含むレア・アース入りパウダーを採用している。表１には、本願発明者が試行を繰り返すことによって得られたそれらの良好な配合構成を示す。
【００２１】
【表１】
2004061003.tif 000002
シリカブラックは、海底に堆積した珪藻類が隆起して生成された世界的にも希有な黒色の天然鉱石であり、現在のところ、北海道松前半島のみで産出されている。その特徴は、ＳｉＯ２を主成分とするとともに炭素及び天然ミネラルを豊富に含むことであり、特に波長４〜１４μｍの赤外線の放射率は、９８％前後と非常に高い。シリカブラックは、採掘したままの状態でもマイナスイオンをある程度発生することが知られており、本例では、これを更に有効に利用するべく他の材料と配合することにより、顕著な効果を達成している。表２には、本例で採用したシリカブラックの成分を示す。
【００２２】
【表２】
2004061003.tif 000003
本例の集塵ダストは、珪酸ジルコニウムの精製炉に備えられた集塵設備にて集められたものである。この種の集塵ダストは、ＳｉＯ２、Ｋ２Ｏ、ＺｒＯ２等を主成分とする化学的に安定した素材である。また、放射性核種たる天然のトリウムやウランを極微量に含むことから、本例では、マイナスイオンを発生するための放射線源としてこれを利用する。表３には、本例で採用したダストの成分を示す。
【００２３】
【表３】
2004061003.tif 000004
本例のチタンセラミックスは、チタンと亜鉛の複合酸化物を主成分とする白色のセラミックスである。このチタンセラミックスは、単なる酸化チタンと酸化亜鉛の混合物とは異なるアモルファス固体である。特に、酸性ガスやアルカリ性ガスに対しては、優れた脱臭効力を有する。
【００２４】
【表４】
2004061003.tif 000005
レア・アース入りパウダーは、ＺｒＯ２、ＳｉＯ２、Ｐ２Ｏ５等とともに希土類元素の酸化物を混合してなる粉末体である。また、希土類元素の酸化物（レア・アース酸化物）には、トリウム及びウランが極微量に含まれており、マイナスイオンの発生は、それらが放射する放射線にも依存する。表５には、かかるレア・アース入りパウダーの成分を示す
【００２５】
【表５】
2004061003.tif 000006
このような構成によると、マイナスイオン発生体は、マイナスイオンを効率よく発生するとともに、極微量の放射線、並びに育成光線を放射する。つまり本例のマイナスイオン発生体は、マイナスイオン、ホルメシス効果、及び育成光線に関わる各効能を総括して享受することができるものであり、これを身近な製品に利用すれば、人々の生活環境に好適に取り入れることができる。
【００２６】
例えば、マイナスイオン発生体をゴム、ビニール、ウレタン等の合成樹脂に昆錬し、これを成形して合成樹脂製品を製造すれば、優れたマイナスイオン製品を得ることができる。また、マイナスイオン発生体を粉末状のシリカに昆錬し、その昆錬物を焼成すれば、セラミックス製のマイナスイオン製品を製造することもできる。
【００２７】
更に、マイナスイオン発生体をバインダーに混入し、これを各種製品に付着することによれば、優れたマイナスイオン製品を製造することができる。例えば、マットの材料となるスポンジ体にマイナスイオン発生体を付着する場合は、アクリル合成樹脂製のバインダー及び増粘剤と、マイナスイオン発生体とを適量の水に投入し、これを攪拌する。そして、スポンジ体をこの攪拌液に一旦浸して乾燥すれば、スポンジ体の全体にマイナスイオン発生体を斑無く付着することができる。
【００２８】
このように、本例のマイナスイオン発生体を各種製品に応用すれば、優れたマイナスイオン製品を得ることができる。
【００２９】
【発明の効果】
以上説明したように、本願発明は、炭素を含むとともに波長４〜１４μｍの赤外線の放射率が９５％以上の天然鉱石と、放射性核種を極微量に含む低放射性材料とを配合してなる構成のマイナスイオン発生体である。このような構成によると、生体に対してより良好に作用するマイナスイオン発生体を得ることができる。